(57)【要約】  フィン上の着霜を抑制することができ、かつ除霜効率の高い熱交換器を提供する。第１方向に沿って延びるように設けられており、かつ内部に冷媒が流通する少なくとも１つの伝熱管（２０）と、伝熱管（２０）と接続されており、第１方向に交差する第２方向において伝熱管（２０）よりも風上側に位置している第１領域（２４Ｆ）および第２領域（２４Ｇ）とを有しているフィン（２４）と、第１方向に沿って延びるように設けられている第１ガイド部材とを備える。第１領域（２４Ｆ）と第２領域（２４Ｇ）とは、第１方向および第２方向と交差する第３方向において間隔を隔てている。第１ガイド部材（２２）は、第３方向において第１領域（２４Ｆ）と第２領域（２４Ｇ）との間に配置されている。伝熱管（２０）および第１ガイド部材（２２）のうち、第１ガイド部材（２２）が第２方向において最も風上側に配置されている。
2017158795.tif 000002
【特許請求の範囲】
【請求項１】
第１方向に沿って延びるように設けられており、かつ内部に冷媒が流通する少なくとも１つの伝熱管と、
前記伝熱管と接続されており、前記第１方向に交差する第２方向において前記伝熱管よりも風上側に位置している第１領域および第２領域とを有しているフィンと、
前記第１方向に沿って延びるように設けられている第１ガイド部材とを備え、
前記第１領域と前記第２領域とは、前記第１方向および前記第２方向と交差する第３方向において間隔を隔てており、
前記第１ガイド部材は、前記第３方向において前記第１領域と前記第２領域との間に配置されており、
前記伝熱管および前記第１ガイド部材のうち、前記第１ガイド部材が前記第２方向において最も風上側に配置されている、熱交換器。
【請求項２】
前記フィンは、前記第３方向において前記伝熱管を挟んで配置されている第１フィン部および第２フィン部とを含み、
前記第１領域は前記第１フィン部上に形成されており、前記第２領域は前記第２フィン部上に形成されている、請求項１に記載の熱交換器。
【請求項３】
前記フィンには、前記第１ガイド部材を収容可能な第１切欠き部が形成されており、
前記第１領域および前記第２領域は、前記第３方向において前記第１切欠き部を挟んで配置されており、
前記第１ガイド部材は、前記第１切欠き部内に配置されている、請求項１に記載の熱交換器。
【請求項４】
前記フィンには、前記第１切欠き部と接続されている第２切欠き部が設けられている、請求項３に記載の熱交換器。
【請求項５】
前記第１ガイド部材は、前記第１方向に沿って延びかつ前記フィンと接続されていない第１表面を有している、請求項１〜４のいずれか１項に記載の熱交換器。
【請求項６】
前記第１ガイド部材には凹部が設けられており、
前記第１表面は前記凹部の内周面を有している、請求項５に記載の熱交換器。
【請求項７】
前記第１方向は上下方向に沿っており、
前記第１ガイド部材は、前記第１方向における下方に向かうにつれて前記第１方向に垂直な断面における前記第１表面の長さが増大するように設けられている、請求項５または６に記載の熱交換器。
【請求項８】
前記第２方向において互いに間隔を隔てて配置された複数の前記伝熱管と、
前記第１方向に沿って延びるように設けられている少なくとも１つの第２ガイド部材とを備え、
前記第２ガイド部材は、前記第２方向において前記複数の伝熱管のうち隣り合う２つの前記伝熱管の間に前記伝熱管と間隔を隔てて配置されているとともに、前記フィンと隣接して配置されており、
前記第２ガイド部材は、前記第１方向に沿って延びかつ前記フィンと接続されていない第２表面を有している、請求項１〜７のいずれか１項に記載の熱交換器。
【請求項９】
前記伝熱管の前記第１方向に垂直な断面の面積は、前記第１ガイド部材の前記第１方向に垂直な断面の面積よりも大きい、請求項１〜８のいずれか１項に記載の熱交換器。
【請求項１０】
前記第１ガイド部材の外周面は、母材と、前記母材の外周面を覆う被覆膜とを含み、
前記被覆膜を構成する材料は、親水性が高い、請求項１〜９のいずれか１項に記載の熱交換器。
【請求項１１】
前記第１ガイド部材は、前記冷媒が流通可能に設けられていない、請求項１〜１０のいずれか１項に記載の熱交換器。
【請求項１２】
請求項１〜１１のいずれか１項に記載の熱交換器と、
前記第２方向に沿って前記熱交換器に対し気体を吹付けるファンとを備える、空気調和機。
【発明の詳細な説明】
【技術分野】
【０００１】
本発明は、熱交換器および該熱交換器を備える空気調和機に関する。
【背景技術】
【０００２】
従来、上下で水平に対峙する一対のヘッダと、これらヘッダに一定の間隔を保って平行に連通接続される複数の扁平伝熱管と、扁平伝熱管同士の隙間に密着介入されたコルゲートフィンを備える熱交換器が知られている。当該熱交換器では、熱交換媒体である冷媒を複数の扁平伝熱管に対して同時にパラレル流通させる。【０００３】
このような熱交換器は、ヒートポンプ型の冷暖兼用の空調用室外機として寒冷時に暖房運転された場合、フィンや伝熱管表面に着霜し、熱交換効率が低下する。【０００４】
特開平９−２８０７５４号公報（特許文献１）には、このような着霜対策として、コルゲートフィンを扁平伝熱管から風上側に突出した構造となるように配置し、かつ風下部分にのみルーバーを形成した熱交換器が開示されている。
【先行技術文献】
【特許文献】
【０００５】
【特許文献１】特開平９−２８０７５４号公報
【発明の概要】
【発明が解決しようとする課題】
【０００６】
しかしながら、特許文献１に記載の熱交換器では、冷媒流通路（扁平チューブ）よりも風上側にフィンが突出しているため、当該風上側に位置するフィン上の着霜を抑えることができるが、当該フィン上の霜の除霜効率が低いという問題があった。例えば、除霜運転によりフィン上の霜は融解されて水となり、フィンや伝熱管を伝って排水される。しかし、フィンは水平方向に沿って延びる領域を多く含むため、上記水はフィン上に滞留し易い。特に、上記熱交換器のフィンにおいて風上側に突出している部分では、排水はフィンのみを伝って行われるため、水の滞留が生じ易く、排水効率が低い。その結果、上記熱交換器は、除霜効率が低いという問題があった。【０００７】
本発明は、上記のような課題を解決するためになされたものである。本発明の主たる目的は、フィン上の着霜を抑制することができ、かつ除霜効率の高い熱交換器を提供することにある。
【課題を解決するための手段】
【０００８】
本発明に係る熱交換器は、第１方向に沿って延びるように設けられており、かつ内部に冷媒が流通する少なくとも１つの伝熱管と、伝熱管と接続されており、第１方向に交差する第２方向において伝熱管よりも風上側に位置している第１領域および第２領域とを有しているフィンと、第１方向に沿って延びるように設けられている第１ガイド部材とを備える。第１領域と第２領域とは、第１方向および第２方向と交差する第３方向において間隔を隔てている。第１ガイド部材は、第３方向において第１領域と第２領域との間に配置されている。伝熱管および第１ガイド部材のうち、第１ガイド部材が第２方向において最も風上側に配置されている。【０００９】
本発明に係る空気調和機は、本発明に係る熱交換器と、上記第２方向に沿って当該熱交換器に対し気体を吹付けるファンとを備える。
【発明の効果】
【００１０】
本発明によれば、フィン上の着霜を抑制することができ、かつ除霜効率の高い熱交換器を提供することができる。
【図面の簡単な説明】
【００１１】
【図１】実施の形態１に係る熱交換器および空気調和機を示す図である。
【図２】実施の形態１に係る熱交換器を示す概略図である。
【図３】図２に示す熱交換器の部分拡大図である。
【図４】図３に示す熱交換器のフィンを説明するための断面図である。
【図５】（ａ）は、図３に示す熱交換器において、１つのフィンと当該フィンを挟んで隣り合う２つの第１および第２伝熱管とを示す平面図である。（ｂ）は、暖房運転時における（ａ）に示すフィンの表面の温度分布、および当該表面上を通る空気の温度分布を示すグラフである。（ｃ）は、暖房運転時における（ａ）に示すフィン上でのフィンと空気との熱交換量分布を示すグラフである。
【図６】除霜運転時における図５（ａ）中の線分ＶＩ−ＶＩでの端面図である。
【図７】除霜運転時における図５（ａ）中の線分ＶＩＩ‐ＶＩＩでの端面図である。
【図８】実施の形態１における第１ガイド部材の構成例を示す断面図である。
【図９】実施の形態１における第１ガイド部材の構成例を示す概略図である。
【図１０】実施の形態２に係る熱交換器の部分拡大図である。
【図１１】実施の形態２に係る熱交換器の伝熱管および第１ガイド部材とフィンとの接続関係を示す部分拡大図である。
【図１２】実施の形態３に係る熱交換器の部分拡大図である。
【図１３】実施の形態３に係る熱交換器の伝熱管および第１ガイド部材とフィンとの接続関係を示す部分拡大図である。
【発明を実施するための形態】
【００１２】
以下、図面を参照して、本発明の実施の形態について説明する。なお、以下の図面において、同一または相当する部分には同一の参照番号を付し、その説明は繰り返さない。
【００１３】
（実施の形態１）
＜空気調和機＞
はじめに、図１を参照して、実施の形態１に係る空気調和機１００について説明する。空気調和機１００は、圧縮機１と、四方弁２と、室内熱交換器３と、膨張弁４と、室外熱交換器５と、室内ファン６と、室外ファン７とを備える。圧縮機１、四方弁２、室内熱交換器３、膨張弁４、および室外熱交換器５は、冷媒が循環する冷媒回路を構成している。
【００１４】
圧縮機１は、吸入側および吐出側が四方弁２と接続されている。四方弁２は、上記冷媒回路において冷媒の流通方向を切り替え可能に設けられている。空気調和機１００は、四方弁２によって冷媒の流通方向が切り替えられることにより、暖房運転と、冷房・除霜運転とを実施可能に設けられている。図１において、実線および矢印Ｆ１が暖房運転時における冷媒流路を示し、破線および矢印Ｆ２が冷房運転時および除霜運転時における冷媒流路を示す。四方弁２は、暖房運転時に圧縮機１から吐出された冷媒（高温高圧）を室内熱交換器３に流出可能に設けられている。四方弁２は、冷房運転時および除霜運転時に圧縮機１から吐出された高温高圧の冷媒を室外熱交換器５に流出可能に設けられている。膨張弁４は、暖房運転時において、室内熱交換器３から室外熱交換器５へ流れる冷媒を膨張させる。膨張弁４は、冷房運転時および除霜運転時において、室外熱交換器５から室内熱交換器３へ流れる冷媒を膨張させる。室内熱交換器３は、暖房運転時に凝縮器、冷房・除霜運転時に蒸発器として作用する。室外熱交換器５は、暖房運転時に蒸発器、冷房・除霜運転時に凝縮器として作用する。室内ファン６は、室内熱交換器３に対して送風可能に設けられている。室外ファン７は、室外熱交換器５に対し、後述する第２方向Ｂに沿って送風可能に設けられている。
【００１５】
＜室外熱交換器＞
次に、図１〜図４を参照して、室外熱交換器５について説明する。室外熱交換器５は、冷媒と気体との熱交換を行う。図２および図３を参照して、室外熱交換器５は、伝熱管２０と、伝熱管２１と、第１ガイド部材２２と、第２ガイド部材２３と、フィン２４（第１および第２フィン部２４を含む）とを主に備える。
【００１６】
図２および図３に示されるように、伝熱管２０，２１は、例えば扁平伝熱管である。伝熱管２０，２１は、第１方向Ａに沿って延びるように設けられている。冷媒は、伝熱管２０，２１の内部を第１方向Ａに沿って流通する。第１方向Ａは、水平方向に対して交差する方向であればよく、例えば鉛直方向である。
【００１７】
伝熱管２０と伝熱管２１とは、第２方向Ｂにおいて互いに間隔を隔てて配置されている。第２方向Ｂは、第１方向Ａと交差する方向であり、室外ファン７により室外熱交換器５に吹付けられる気体の流通方向に沿っている。第２方向Ｂは、例えば水平方向である。伝熱管２０は、伝熱管２１よりも第２方向Ｂにおける風上側に配置されている。伝熱管２０，２１は、第３方向Ｃにおいて第１および第２フィン部２４と接続されている。第３方向Ｃは、第１方向Ａおよび第２方向Ｂと交差する方向である。第３方向Ｃは、例えば水平方向であって、第２方向Ｂと直交する方向である。
【００１８】
伝熱管２０の内部には、第１方向Ａに沿って延びる貫通孔２６が複数設けられている。貫通孔２６は、例えば６つの貫通孔２６ａ，２６ｂ，２６ｃ，２６ｄ，２６ｅ，２６ｆにより構成されている。伝熱管２１の内部には、第１方向Ａに沿って延びる貫通孔２７が複数設けられている。貫通孔２７は、例えば６つの貫通孔２７ａ，２７ｂ，２７ｃ，２７ｄ，２７ｅ，２７ｆにより構成されている。貫通孔２６，２７の第１方向Ａに直交する断面の形状は、任意の形状であればよいが、たとえば矩形状である。複数の貫通孔２６は、後述する第１分配器１０と接続されている。これにより、冷媒は、伝熱管２０の貫通孔２６内を流通可能である。複数の貫通孔２７は、後述する第２分配器１１と接続されている。これにより、冷媒は、伝熱管２１の貫通孔２７内を流通可能である。
【００１９】
第１ガイド部材２２および第２ガイド部材２３は、第１方向Ａに沿って延びるように設けられている。空気調和機１００の冷媒回路を流通する冷媒は、第１ガイド部材２２および第２ガイド部材２３の内部を流通しない。つまり、第１ガイド部材２２および第２ガイド部材２３は、空気調和機１００の冷媒回路を構成しない。第１ガイド部材２２および第２ガイド部材２３は、例えば伝熱管２０，２１ように貫通孔が設けられていない、いわゆる中実である。なお、第１ガイド部材２２および第２ガイド部材２３の内部には、第１方向Ａに沿って延びる貫通孔が設けられていてもよい。この場合、第１ガイド部材２２および第２ガイド部材２３に設けられた貫通孔は、空気調和機１００の冷媒回路に接続されていなければよい。
【００２０】
第１ガイド部材２２および第２ガイド部材２３を構成する材料は、例えば銅（Ｃｕ）またはアルミニウム（Ａｌ）である。第１ガイド部材２２および第２ガイド部材２３を構成する材料は、伝熱管２０，２１を構成する材料と同一であってもよいし、異なっていてもよい。第１ガイド部材２２および第２ガイド部材２３を構成する材料は、例えばポリプロピレン及びポリプロピレンを含む複合材質などの硬質樹脂などの樹脂であってもよい。
【００２１】
第１ガイド部材２２と第２ガイド部材２３とは、第２方向Ｂにおいて互いに間隔を隔てて配置されている。第１ガイド部材２２は、第２ガイド部材２３よりも第２方向Ｂにおける風上側に配置されている。第１ガイド部材２２および第２ガイド部材２３は、第３方向Ｃにおいて第１および第２フィン部２４と接続されている。第１ガイド部材２２および第２ガイド部材２３は、任意の方法により第１および第２フィン部２４と接続されていればよいが、例えばろう付けにより第１および第２フィン部２４と固定されている。
【００２２】
第１ガイド部材２２は、後述する第１フィン部２４の第１領域２４Ｆと第２フィン部２４の第２領域２４Ｇとの間に配置されており、かつこれらと接続されている。第１ガイド部材２２は、第１および第２フィン部２４と接続されていない第１表面を有している。第２ガイド部材２３は、第１および第２フィン部２４と接続されていない第２表面を有している。第１表面および第２表面は、第１方向Ａに沿って延びるように設けられている。第１表面および第２表面の第１方向Ａにおける下方端は、第１表面および第２表面上を伝って当該下方端に達した水を効率的に排水可能に設けられている。第１表面および第２表面の上記下方端は、例えば室外熱交換器５外部へ排水可能な排水部材（図示しない）に接続されている。第１表面および第２表面の上記下方端は、例えばドレンパンなどの排水部材の上方に当該排水部材と間隔を隔てて配置されていてもよい。
【００２３】
図３、図５（ａ）および図８（ａ）を参照して、第１ガイド部材２２および第２ガイド部材２３の第１方向Ａに垂直な断面形状は、例えば略楕円形状である。第１ガイド部材２２および第２ガイド部材２３は、例えばその長軸方向が第２方向Ｂに沿うように配置されている。
【００２４】
伝熱管２０，２１、第１ガイド部材２２、および第２ガイド部材２３のうち、第１ガイド部材２２が最も第２方向Ｂにおける風上側に配置されている。第１ガイド部材２２、伝熱管２０、第２ガイド部材２３、および伝熱管２１は、第２方向Ｂの風上側から風下側に向かって順に配置されている。第１ガイド部材２２と伝熱管２０とは、第２方向において間隔を隔てて配置されている。伝熱管２０と第２ガイド部材２３とは、第２方向において間隔を隔てて配置されている。第２ガイド部材２３と伝熱管２１とは、第２方向において間隔を隔てて配置されている。
【００２５】
第１ガイド部材２２は、風上側に位置する第１端部２２Ａと、風下側に位置する第２端部２２Ｂとを有している。第１端部２２Ａおよび第２端部２２Ｂの表面は、第１方向Ａに沿って延びるように設けられており、かつ第１および第２フィン部２４に接続されていない。上記第１表面は、第１端部２２Ａおよび第２端部２２Ｂの表面により構成されている。伝熱管２０は、風上側に位置する第３端部２０Ａと、風下側に位置する第４端部２０Ｂとを有している。第２ガイド部材２３は、風上側に位置する第５端部２３Ａと、風下側に位置する第６端部２３Ｂとを有している。第５端部２３Ａおよび第６端部２３Ｂの表面は、第１方向Ａに沿って延びるように設けられており、かつ第１および第２フィン部２４に接続されていない。上記第２表面は、第５端部２３Ａおよび第６端部２３Ｂの表面により構成されている。伝熱管２１は、風上側に位置する第７端部２１Ａと、風下側に位置する第８端部２１Ｂとを有している。第１および第２フィン部２４は、風上側に位置する第９端部２４Ａと、風下側に位置する第１０端部２４Ｂとを有している。
【００２６】
第１ガイド部材２２の風下側に位置する第２端部２２Ｂと伝熱管２０の風上側に位置する第３端部２０Ａとの間には、第１空間３０が設けられている。つまり、第１空間３０は第１ガイド部材２２の上記第１表面の一部に面している。伝熱管２０の風下側に位置する第４端部２０Ｂと第２ガイド部材２３の風上側に位置する第５端部２３Ａとの間には、第２空間３１が設けられている。つまり、第２空間３１は第２ガイド部材２３の上記第２表面の一部に面している。第２ガイド部材２３の風下側に位置する第６端部２３Ｂと伝熱管２１の風上側に位置する第７端部２１Ａとの間には、第３空間３２が設けられている。つまり、第３空間３２は第２ガイド部材２３の上記第２表面の一部に面している。空間３０，３１，３２は、第１および第２フィン部２４の第３方向Ｃにおける側方端部２４Ｅに面している。
【００２７】
第１ガイド部材２２の第１端部２２Ａは、例えば第１および第２フィン部２４の第９端部２４Ａと第３方向Ｃにおいて連なるように設けられている。伝熱管２１の第８端部２１Ｂは、例えば第１および第２フィン部２４の第１０端部２４Ｂと第３方向Ｃにおいて連なるように設けられている。
【００２８】
伝熱管２０，２１、第１ガイド部材２２、および第２ガイド部材２３は、例えば第３方向Ｃにおける幅が等しい。第１ガイド部材２２および第２ガイド部材２３の第２方向Ｂにおける幅は、例えば伝熱管２０，２１の第２方向Ｂにおける幅よりも短い。言い換えると、第１ガイド部材２２の第１方向Ａに対して垂直な断面の面積Ｓ１および第２ガイド部材２３の第１方向Ａに対して垂直な断面の面積Ｓ２は、伝熱管２０，２１の第１方向Ａに対して垂直な断面の面積Ｓ３，Ｓ４よりも小さい。なお、面積Ｓ３，Ｓ４は、貫通孔２６，２７の内部の面積も含んでいる。第１ガイド部材２２の第２方向Ｂにおける幅は、第２方向Ｂにおける、伝熱管２０の第３端部２０Ａと第１および第２フィン部２４の第９端部２４Ａとの間の距離よりも短い。第２方向Ｂにおける、伝熱管２０の第３端部２０Ａと第１および第２フィン部２４の第９端部２４Ａとの間の距離は、除霜運転時に伝熱管２０の貫通孔２６内を流通する冷媒の熱によって第９端部２４Ａ上の霜を融解可能な限りにおいて、任意の値としてもよいが、短いほど好ましい。
【００２９】
フィン２４は、第３方向Ｃにおいて伝熱管２０，２１を挟んで配置されている第１フィン部２４および第２フィン部２４とを含む。第１および第２フィン部２４は、別体として構成されている。第１および第２フィン部２４は、例えば同等の構成を有している。第１および第２フィン部２４は、第３方向Ｃにおいて間隔を隔てて配置されている。第１および第２フィン部２４は、例えば金属などからなる薄板が波状に成形されたコルゲートフィンとして構成されている。第１フィン部２４は、第２方向Ｂにおいて最も風上側に位置している伝熱管２０よりも風上側に位置している第１領域２４Ｆを有している。第２フィン部２４は、第２方向Ｂにおいて最も風上側に位置している伝熱管２０よりも風上側に位置している第２領域２４Ｇを有している。第１領域２４Ｆと第２領域２４Ｇとは、第３方向Ｃにおいて間隔を隔てて配置されている。上述のように、第１ガイド部材２２は、第１領域２４Ｆおよび第２領域２４Ｇと接続されている。
【００３０】
第１および第２フィン部２４には、例えばルーバー２５が複数設けられている。複数のルーバー２５は、第３方向Ｃに沿って延びるように設けられており、かつ第２方向Ｂにおいて互いに間隔を隔てて設けられている。複数のルーバー２５のうちの一部は、フィン２４において第３方向Ｃにおいて隣り合う第１ガイド部材２２間に位置する部分、第３方向Ｃにおいて隣り合う第２ガイド部材２３間に位置する部分、第３方向Ｃにおいて隣り合う伝熱管２０，２１間に位置する部分に設けられている。
【００３１】
図３および図４を参照して、ルーバー２５は、たとえば第２方向Ｂにおいて第２ガイド部材２３より第９端部２４Ａ側に位置する部分と、第２ガイド部材２３より第１０端部２４Ｂ側に位置する部分とが線対称となるように設けられている。
【００３２】
伝熱管２０、伝熱管２１、第１ガイド部材２２、第２ガイド部材２３は、例えばそれぞれ複数設けられている。複数の伝熱管２０は、第３方向Ｃにおいて互いに間隔を隔てて配置されている。複数の伝熱管２１は、第３方向Ｃにおいて第１または第２フィン部２４を挟んで互いに間隔を隔てて配置されている。複数の第１ガイド部材２２は、第３方向Ｃにおいて第１または第２フィン部２４を挟んで互いに間隔を隔てて配置されている。複数の第２ガイド部材２３は、第３方向Ｃにおいて第１または第２フィン部２４を挟んで互いに間隔を隔てて配置されている。フィン２４は、第１および第２フィン部以外にも、第３方向Ｃにおいて間隔を隔てて配置されている複数のフィン部をさらに含んでいてもよい。複数のフィン部は、第３方向Ｃにおいて、それぞれ１つの伝熱管２０，２１、第１ガイド部材２２、および第２ガイド部材２３を挟んで互いに間隔を隔てて配置されている。この場合、空間３０，３１，３２は、それぞれ第３方向Ｃにおいて複数設けられている。
【００３３】
室外熱交換器５は、上記構成を備える限りにおいて任意の構成を備えていればよいが、例えば図２に示されるように第１分配器１０と、第２分配器１１と、折り返しヘッダ１２とをさらに備えている。
【００３４】
複数の伝熱管２０の第１方向Ａの各下方端は第１分配器１０に接続されている。第１分配器１０は、複数の伝熱管２０に冷媒を分配可能に設けられている。複数の伝熱管２１の第１方向Ａの各下方端は、第２分配器１１に接続されている。第２分配器１１は、複数の伝熱管２１の第１方向Ａの各下方端と接続されている。第２分配器１１は、複数の伝熱管２１に冷媒を分配可能に設けられている。第１分配器１０は、第２分配器１１よりも風上側に配置されている。第１分配器１０は、例えば冷媒配管を介して膨張弁４と接続されている。第２分配器１１は、例えば冷媒配管を介して四方弁２と接続されている。折り返しヘッダ１２は、伝熱管２０および伝熱管２１の第１方向Ａの各上方端と接続されている。
【００３５】
複数の第１ガイド部材２２の第１方向Ａの各下方端および各上方端は、例えば第１分配器１０、第２分配器１１、および折り返しヘッダ１２のいずれとも接続されていない。複数の第２ガイド部材２３の第１方向Ａの各下方端および各上方端は、例えば第１分配器１０、第２分配器１１、および折り返しヘッダ１２のいずれとも接続されていない。第１表面の上記下方端は、例えば後述する第１分配器１０の外周面に接触するように設けられていてもよい。第２表面の上記下方端は、例えば後述する第２分配器１１の外周面に接触するように設けられていてもよい。
＜冷凍サイクル装置の動作＞
次に、図１を参照して、空気調和機１００および室外熱交換器５の動作について説明する。空気調和機１００は、暖房運転時に、図１における実線および矢印Ｆ１により示される冷媒流路を構成する。室内熱交換器３により凝縮され膨張弁４により膨張された気液二相状態の冷媒が室外熱交換器５の第１分配器１０に供給される。室外熱交換器５には、第１分配器１０から伝熱管２０、折り返しヘッダ１２、および伝熱管２１を通って第２分配器１１に至る冷媒流路が設けられる。
【００３６】
図５（ａ）および（ｂ）を参照して、暖房運転時では、伝熱管２０の第３端部２０Ａよりも風下側に位置するフィン２４の一部領域は、伝熱管２０の貫通孔２６内を流通する冷媒により当該冷媒の温度と同等程度にまで冷やされる。そのため、フィン２４の表面温度は当該一部領域上において均一の温度分布を示す。
【００３７】
一方、第３方向Ｃにおいて隣り合う第１ガイド部材２２に挟まれており、かつ上記一部領域よりも風上側に位置するフィン２４の他の領域、すなわちフィン２４において伝熱管２０よりも風上側に位置している（突出している）領域は、上記一部領域と比べて冷媒が流通している伝熱管２０から離れている。そのため、フィン２４の表面温度は、当該他の領域において伝熱管２０からの距離に応じた温度分布を示す。つまり、フィン２４の表面温度は、伝熱管２０の上記第３端部２０Ａから最も離れた位置にあるフィン２４の第９端部２４Ａにおいて最も高く、伝熱管２０の第３端部２０Ａと第３方向Ｃにおいて重なる位置まで近づくにつれて徐々に低くなる温度分布を示す。
【００３８】
図５（ｂ）を参照して、暖房運転時では、上記のような温度分布を示すフィン２４の表面上を流通する空気の温度は、フィン２４の表面温度よりも高いが、フィン２４の第９端部２４Ａ側（風上側）から第１０端部２４Ｂ側（風下側）に向かって徐々に低くなるような温度分布を示す。なお、図５（ｂ）の縦軸はフィン２４の表面または当該表面上を流通する空気の温度を示し、横軸はフィン２４の表面上における位置（フィン２４の第９端部２４Ａからの第２方向Ｂにおける距離）を示す。図５（ｃ）の縦軸はフィン２４を介した冷媒と空気との熱交換量を示し、横軸はフィン２４の表面上における位置（フィン２４の第９端部２４Ａからの第２方向Ｂにおける距離）を示す。
【００３９】
フィン２４の表面温度およびフィン２４の表面上を流通する空気の温度が図５（ｂ）に示される温度分布を示すことにより、フィン２４を介した冷媒と室外の空気との間の熱交換量は、図５（ｃ）に示されるように、フィン２４の第９端部２４Ａから第１０端部２４Ｂまでほぼ均一な分布を示す。これにより、図４に示されるように、暖房運転時において、フィン２４上の着霜量をフィン２４の第９端部２４Ａから第１０端部２４Ｂまでほぼ均一化することができる。
【００４０】
空気調和機１００は、冷房・除霜運転時に、図１における破線および矢印Ｆ２により示される冷媒流路を構成する。室内熱交換器３により蒸発され圧縮機１により圧縮されたガス単相状態の高温高圧の冷媒が室外熱交換器５の第２分配器１１に供給される。室外熱交換器５には、第２分配器１１から伝熱管２１、折り返しヘッダ１２、および伝熱管２０を通って第１分配器１０に至る冷媒流路が設けられる。除霜運転時には、暖房運転時のフィン２４上の着霜量が第２方向Ｂにおいて均一化されているため、フィン２４上の霜が第２方向Ｂにおける位置に関わらず効率的に融解される。
【００４１】
図３、図６および図７を参照して、上述した除霜運転により融解された霜は、水Ｗとなって排水され室外熱交換器５から除かれる。室外熱交換器５は、除霜された霜の排水経路を３つ有している。第１の排水経路は、フィン２４の表面およびルーバー２５を通って鉛直方向の上方から下方へ向かう排水経路である。第２の排水経路は、伝熱管２０の第３端部２０Ａ，第４端部２０Ｂ、および伝熱管２１の第７端部２１Ａ，第８端部２１Ｂを通って鉛直方向の上方から下方へ向かう排水経路である。第３の排水経路は、第１ガイド部材２２の第１端部２２Ａ，第２端部２２Ｂ，第２ガイド部材２３の第５端部２３Ａ，第６端部２３Ｂを通って鉛直方向の上方から下方へ向かう排水経路である。
【００４２】
これにより、室外熱交換器５は、第１ガイド部材２２が設けられていない室外熱交換器、すなわち第１ガイド部材２２を伝う上記第３の排水経路を有しておらず上記第１の排水経路および上記第２の排水経路のみを有している室外熱交換器と比べて、排水効率が高い。特に、室外熱交換器５は、フィン２４において伝熱管２０よりも風上側に位置している領域の排水効率が高い。その結果、室外熱交換器５は、当該室外熱交換器と比べて、除霜運転時間を短縮することができる。さらに、室外熱交換器５は、フィン２４上での水の滞留が防止されており、除霜運転後にもフィン２４上に滞留していた水が暖房運転時に再着霜することが防止されているため、暖房運転時の熱交換効率が高い。
【００４３】
＜作用効果＞
実施の形態１に係る室外熱交換器５は、伝熱管２０，２１と、第１ガイド部材２２と、フィン２４とを備える。伝熱管２０は、第１方向Ａに沿って延びるように設けられており、かつ内部に冷媒が流通する。フィン２４は、伝熱管２０，２１と接続されている。フィン２４は、第２方向Ｂにおいて伝熱管２０よりも風上側に位置している第１領域２４Ｆおよび第２領域２４Ｇを有している。第１領域２２Ｆと第２領域２４Ｇとは、第３方向Ｃにおいて間隔を隔てて配置されている。第１ガイド部材２２は、第３方向Ｃにおいて第１領域２４Ｆと第２領域２４Ｇとの間に配置されている。伝熱管２０，２１および第１ガイド部材２２のうち、第１ガイド部材２２が最も風上側に配置されている。なお、第１ガイド部材２２は、第１方向Ａに沿って延びかつフィン２４と接続されていない第１表面として、第１端部２２Ａおよび第２端部２２Ｂを有している。第１ガイド部材２２の内部には、冷媒が流通しない。
【００４４】
室外熱交換器５は、フィン２４が第２方向Ｂにおいて伝熱管２０よりも風上側に位置している第１領域２４Ｆおよび第２領域２４Ｇを有している。そのため、室外熱交換器５は、蒸発器として作用する暖房運転時においてフィン２４の当該第１領域２４Ｆおよび第２領域２４Ｇ上の着霜を抑制することができ、フィン２４上の着霜量を第３方向Ｃにおいて均一化することができる。その結果、室外熱交換器５は、除霜運転時においてフィン２４上の霜を効率的に融解させることができる。さらに、室外熱交換器５は、フィン２４の上記第１領域２４Ｆおよび第２領域２４Ｇに接続されている第１ガイド部材２２を備えるため、除霜運転時に当該第１領域２４Ｆおよび第２領域２４Ｇ上に生じた水を第１ガイド部材２２の第１端部２２Ａおよび第２端部２２Ｂを伝って第１方向Ａの下方に効率的に排出させることができる。つまり、室外熱交換器５は、フィン２４上の着霜が抑制されており、かつ除霜効率の高い。
【００４５】
室外熱交換器５において、第１ガイド部材２２の上記第１表面は、第１ガイド部材２２の第２方向Ｂにおける風下側に位置する第２端部２２Ｂの表面を有している。これにより、室外熱交換器５は、上記第１の表面が第１ガイド部材２２の風上側に位置する第１端部２２Ａの表面のみを有している室外熱交換器と比べて、排水効率が高い。
【００４６】
室外熱交換器５において、フィン２４は、第３方向Ｃにおいて伝熱管２０，２１を挟んで配置されている第１フィン部２４および第２フィン部２４とを含む。第１領域２４Ｆは第１フィン部２４上に形成されており、第２領域２４Ｇは第２フィン部２４上に形成されている。これにより、室外熱交換器５は、例えば第１および第２フィン部２４が例えばコルゲートフィンで構成されている場合であっても、除霜運転時にコルゲートフィンの第１領域２４Ｆおよび第２領域２４Ｇ上に生じた水を第１ガイド部材２２の第１端部２２Ａおよび第２端部２２Ｂを伝って第１方向Ａの下方に効率的に排出させることができる。
【００４７】
室外熱交換器５は、第２方向Ｂにおいて互いに間隔を隔てて配置された複数の伝熱管２０，２１と、第１方向Ａに沿って延びるように設けられており、かつ第２方向Ｂにおいて複数の伝熱管２０，２１のうち隣り合う２つの伝熱管２０，２１の間に当該伝熱管２０，２１と間隔を隔てて配置されている少なくとも１つの第２ガイド部材２３とを備える。第２ガイド部材２３は、第１方向Ａに沿って延びかつフィン２４と接続されていない第２表面を有している。また、第２方向Ｂにおいて３つ以上の伝熱管が互いに間隔を空けて配置されていてもよい。この場合、第２方向Ｂにおいて隣り合う２つの伝熱管の各間には、第２ガイド部材が配置されているのが好ましい。これにより、フィン２４において第２方向Ｂにおいて隣り合う２つの伝熱管の間に位置し、伝熱管に接続されていない領域は、上記第２表面を有する第２ガイド部材２３が接続されている。そのため、第２ガイド部材２３を備える室外熱交換器５は、フィン２４の上記領域からの排水効率も高めることができる。
【００４８】
実施の形態１に係る空気調和機１００は、上記のような室外熱交換器５と、第２方向Ｂに沿って室外熱交換器５に対し気体を吹付ける室外ファン７と、室外熱交換器５の伝熱管２０，２１を流通する冷媒の流通方向を切り替え可能な四方弁２とを備える。そのため、空気調和機１００は、暖房運転および除霜運転の効率が高い。
【００４９】
なお、第１ガイド部材２２および第２ガイド部材２３は、上記第１表面および第２表面を有している限りにおいて、任意の構成を有していればよい。図８（ｂ）〜（ｉ）は、第１ガイド部材２２および第２ガイド部材２３の第１方向Ａに垂直な断面形状について図８（ａ）以外の例を示している。
【００５０】
図８（ｂ）〜（ｅ）、（ｇ）および（ｈ）に示されるように、第１ガイド部材２２は、図８（ａ）に示される第１ガイド部材２２の長軸方向において第１端部２２Ａと第２端部２２Ｂとの間に凹部４０，４１，４２が設けられた断面形状を有していてもよい。凹部４０，４１，４２は、第１方向Ａ（図２，３参照）に沿って延びるように設けられている。このような第１ガイド部材２２では、凹部４０，４１，４２の内周面も第１方向Ａに沿って延びるように設けられかつフィン２４に接続されない面となり得る。そのため、図８（ｂ）〜（ｅ）、（ｇ）および（ｈ）に示される第１ガイド部材２２は、図８（ａ）に示される第１ガイド部材２２と比べて第１ガイド部材２２の第１表面の表面積が大きく、第１表面を伝った排水効率が高められている。
【００５１】
図８（ｂ）および（ｅ）に示されるように、第１ガイド部材２２には、その長軸方向に延びる一方の外周面側にのみ凹部４０が設けられていてもよい。図８（ｃ）および（ｄ）に示されるように、第１ガイド部材２２には、その長軸方向に延びる一方の外周面側に凹部４１が、他方の外周面側に凹部４２が、同時に設けられていてもよい。図８（ｇ）および（ｈ）に示されるように、凹部４１および凹部４２の少なくとも一方は、複数設けられていてもよい。凹部４０，４１，４２の断面形状は、任意の形状であればよいが、例えば矩形状であってもよいし、三角形状であってもよい。凹部４１と凹部４２は、図８（ｃ）に示されるように、長軸方向に延びる第１ガイド部材２２の中心線を挟んで線対称を成すように設けられていてもよいし、図８（ｄ）に示されるように、第１ガイド部材２２の上記断面の中心に対して点対称を成すように設けられていてもよい。
【００５２】
図８（ｆ）および（ｉ）に示されるように、第１ガイド部材２２の第１方向Ａに垂直な断面形状は、第１端部２２Ａよりも風下側に位置する部分、すなわち第１端部２２Ａよりも第２端部２２Ｂ側に位置する部分が、風上側に位置する第１端部２２Ａと比べて第３方向Ｃにおける幅が広くなるように設けられていてもよい。このような第１ガイド部材２２によれば、室外ファン７から室外熱交換器５に吹付けられる気体が第１ガイド部材２２に衝突することにより生じる気体の衝突抵抗を緩和することができる。第１端部２２Ａは、例えば第１方向Ａに沿って延びる線状に設けられている。図８（ｆ）に示されるように、第２端部２２Ｂは、第１ガイド部材２２において最も幅広に設けられていてもよい。図８（ｉ）に示されるように、第２端部２２Ｂも、第１端部２２Ａと同様に第１方向Ａに沿って延びる線状に設けられており、第１端部２２Ａと第２端部２２Ｂとの間に位置する部分に、これらよりも幅広な部分が設けられていてもよい。また、図８（ｉ）に示されるように、第１ガイド部材２２は、フィン２４の側方端部２４Ｅ（図３参照）と線接触するように設けられていてもよい。図８（ｉ）に示される第１ガイド部材２２は、第３方向Ｃ（図３参照）において最も幅広な部分以外の他の部分の表面全体が、第１方向Ａに沿って延びかつフィン２４に接続されていない上記第１表面を構成し得る。
【００５３】
上記では、図８（ｂ）〜（ｉ）を参照して、第１ガイド部材２２の構成例について説明したが、第２ガイド部材２３についても同様の構成を採用し得る。
【００５４】
また、図８（ｊ）を参照して、第１ガイド部材２２および第２ガイド部材２３は、母材４３と、母材４３を覆う被覆膜４４とで構成されていてもよい。この場合、被覆膜４４を構成する材料は、例えば一般的に親水性が高いとされるアミド化合物、ビニルアルコール、エポキシ樹脂、アクリル樹脂などの樹脂などの材料であり、好ましくはフィン２４の表面を構成する材料よりも親水性が高い。一方、母材４３を構成する材料は、任意の材料であればよい。ここで、水と第１ガイド部材２２の表面との接触角が０度以上９０度未満の状態を親水性が高いという。
【００５５】
また、第１ガイド部材２２および第２ガイド部材２３は、第１方向Ａの下方に向かうにつれて、第１表面および第２表面の第１方向Ａに垂直な断面における長さが長くなるように設けられていてもよい。このようにすれば、第１方向Ａの下方に向かうにつれて、第１ガイド部材２２の第１表面、および第２ガイド部材２３の第２表面が広がる。第１表面および第２表面の下方側に位置する部分にはフィン２４において当該部分よりも上方に位置する部分から融解した水が流れるため、第１表面および第２表面を流れる水の流量は下方に向かうにつれて多くなる。そのため、第１方向Ａの下方に向かうにつれて、第１ガイド部材２２の第１表面、および第２ガイド部材２３の第２表面が広がっていれば、第１表面および第２表面による排水効率をさらに高めることができる。
【００５６】
また、室外熱交換器５において、第１ガイド部材２２および第２ガイド部材２３は、フィン２４と隣接していればよい。ここで、第１ガイド部材２２および第２ガイド部材２３とフィン２４とが隣接している状態とは、上述のように第１ガイド部材２２および第２ガイド部材２３とフィン２４とが接続されている状態、または第１ガイド部材２２および第２ガイド部材２３とフィン２４とが微小な隙間を挟んで配置されており、接続されていない状態であることを示している。第１ガイド部材２２および第２ガイド部材２３と、フィン２４において第３方向Ｃにおける側方端部２４Ｅとは、側方端部２４Ｅ上の水が第１ガイド部材２２および第２ガイド部材２３と接触可能な程度の間隔を空けて配置されていてもよい。この場合、第１ガイド部材２２および第２ガイド部材２３は、室外熱交換器５においてフィン２４以外の構成部材に対して位置決めされていればよい。このようにしても、フィン２４において側方端部２４Ｅに達した水は第１ガイド部材２２および第２ガイド部材２３により効率的に排水される。そのため、このような第１ガイド部材２２を備える室外熱交換器は、実施の形態１に係る室外熱交換器５と同様の効果を奏することができる。この場合、図９（ａ）に示されるように、第１表面は、第１ガイド部材２２において第３方向Ｃにおける側方端部２２Ｅの表面を有する。第２表面は、第２ガイド部材２３において第３方向Ｃにおける側方端部２３Ｅの表面を有する。また、図９（ｂ）に示されるように、第１ガイド部材２２は第１方向Ａの下方に向かうにつれて第１方向Ａに垂直な断面の面積が増大するように設けられていてもよい。この場合、第１ガイド部材２２の第３方向Ｃにおける幅は第１方向Ａにおいて一定に設けられており、第１ガイド部材２２の第２方向Ｂにおける幅が第１方向Ａの下方に向かうにつれて増大するように設けられていてもよい。同様に、第２ガイド部材２３は、第１方向Ａの下方に向かうにつれて第１方向Ａに垂直な断面の面積が増大するように設けられていてもよい。このようにしても、第１方向Ａの下方に向かうにつれて、第１ガイド部材２２の第１表面、および第２ガイド部材２３の第２表面を広げることができるため、第１表面および第２表面による排水効率を高めることができる。
【００５７】
また、第１ガイド部材２２および第２ガイド部材２３は、伝熱管２０，２１とフィン２４とがろう付けにより固定された室外熱交換器５に対し、圧入により固定されていてもよい。
【００５８】
（実施の形態２）
次に、図１０および図１１を参照して、実施の形態２に係る熱交換器について説明する。実施の形態２に係る熱交換器は、基本的に実施の形態１に係る熱交換器と同様の構成を備えるが、フィン２４には第１ガイド部材２２を収容可能な第１切欠き部５１が設けられており、第１ガイド部材２２の第１表面が当該第１切欠き部５１内に配置されている点で異なる。
【００５９】
フィン２４は、例えばフラットフィンである。フィン２４は、第１方向Ａにおいて複数枚積層されている。各フィン２４は、例えば同一の構成を有している。第１方向Ａにおいて積層された複数のフィン２４の各々に、第１切欠き部５１が設けられている。各第１切欠き部５１は例えば同一の構成を有している。複数の第１切欠き部５１は例えば第１方向Ａにおいて重なるように設けられている。
【００６０】
第１切欠き部５１は、フィン２４の第９端部２４Ａに面しており、第２方向Ｂに沿って延びるように設けられている。第１切欠き部５１は、第１ガイド部材２２を収容可能な限りにおいて、任意の構成を有していればよい。第１切欠き部５１の第２方向Ｂにおける幅は、例えば第１ガイド部材２２の第２方向Ｂにおける幅と同等である。第１切欠き部５１の第３方向Ｃにおける幅は、例えば第１ガイド部材２２の第３方向Ｃにおける幅と同等である。この場合、第２方向Ｂにおいて伝熱管２０よりも風上側に位置している第１領域２４Ｆおよび第２領域２４Ｇは、第３方向Ｃにおいて第１切欠き部５１を挟んで配置されている。
【００６１】
第１ガイド部材２２の第２端部２２Ｂは、例えば第１切欠き部５１の風下側に位置する端部と隙間無く嵌め合されている。第１ガイド部材２２の第１端部２２Ａは、例えばフィン２４の第９端部２４Ａと連なるように設けられている。第１端部２２Ａは、例えば第９端部２４Ａよりも風上側に突出していてもよい。第１ガイド部材２２には、例えば図８（ｂ）に示されるように、凹部４０が設けられている。この場合、第１ガイド部材２２の凹部４０の内周面は、第１方向Ａに沿って延びるように設けられておりかつフィン２４と接続されていない。そのため、実施の形態２に係る室外熱交換器５において、上記第１表面は、第１端部２２Ａの表面と凹部４０の内周面とを有している。
【００６２】
複数のフィン２４の各々には、伝熱管２０を収容可能な第３切欠き部５３が設けられていてもよい。第３切欠き部５３は、フィン２４の第１０端部２４Ｂに面しており、第２方向Ｂに沿って延びるように設けられている。第３切欠き部５３は、伝熱管２０を収容可能な限りにおいて、任意の構成を有していればよい。第３切欠き部５３の第２方向Ｂにおける幅は、例えば伝熱管２０の第２方向Ｂにおける幅と同等である。第３切欠き部５３の第３方向Ｃにおける幅は、例えば伝熱管２０の第３方向Ｃにおける幅と同等である。
【００６３】
伝熱管２０の第３端部２０Ａは、例えば第３切欠き部５３の風上側に位置する端部と隙間無く嵌め合されている。伝熱管２０の第４端部２０Ｂは、例えばフィン２４の第１０端部２４Ｂと連なるように設けられている。第４端部２０Ｂは、例えば第１０端部２４Ｂよりも風下側に突出していてもよい。
【００６４】
第１切欠き部５１と第３切欠き部５３とは、第２方向Ｂにおいて間隔を隔てて設けられている。第１切欠き部５１の風下側に位置する端部は、第３切欠き部５３の風上側に位置する端部よりも風上側に位置している。異なる観点から言えば、フィン２４は、第３方向Ｃにおいて第１切欠き部５１および第３切欠き部５３を挟んで形成されている第１フィン部２４および第２フィン部２４とを含む。第１および第２フィン部２４は、一体として構成されている。つまり、フィン２４は、第２方向Ｂにおいて第１切欠き部５１と第３切欠き部５３との間に位置する部分を有し、第１フィン部２４と第２フィン部２４とは当該部分を介して接続されている。第１ガイド部材２２は、第１フィン部２４上に形成されている第１領域２４Ｆと第２フィン部２４上に形成されている第２領域２４Ｇとの間に配置されている。
【００６５】
第１ガイド部材２２とフィン２４とは、例えば第１ガイド部材２２が第１切欠き部５１に差し込まれることにより位置決め可能である。伝熱管２０とフィン２４とは、例えば伝熱管２０が第３切欠き部５３に差し込まれることにより位置決め可能である。
【００６６】
このようにしても、フィン２４が第２方向Ｂにおいて伝熱管２０よりも風上側に位置している第１領域２４Ｆおよび第２領域２４Ｇを有しているため、蒸発器として作用する暖房運転時においてフィン２４の当該第１領域２４Ｆおよび第２領域２４Ｇ上の着霜を抑制することができ、フィン２４上の着霜量を第３方向Ｃにおいて均一化することができる。その結果、室外熱交換器５は、除霜運転時においてフィン２４上の霜を効率的に融解させることができる。さらに、室外熱交換器５は、フィン２４の上記第１領域２４Ｆおよび第２領域２４Ｇに接続されている第１ガイド部材２２を備えるため、除霜運転時に当該第１領域２４Ｆおよび第２領域２４Ｇ上に生じた水を第１ガイド部材２２の第１端部２２Ａおよび凹部４０内を伝って第１方向Ａの下方に効率的に排出させることができる。つまり、実施の形態２に係る室外熱交換器５は、実施の形態１に係る室外熱交換器５と同様の効果を奏することができる。
【００６７】
なお、第１ガイド部材２２は、第１切欠き部５１内に収容される部分の少なくとも一部が第１切欠き部５１との間で隙間を形成可能な限りにおいて、任意に構成されていればよい。第１ガイド部材２２は、例えば図８（ｃ）〜（ｉ）に示されるいずれかの構成を有していてもよい。
【００６８】
（実施の形態３）
次に、図１２および図１３を参照して、実施の形態３に係る室外熱交換器について説明する。実施の形態３に係る室外熱交換器は、基本的には実施の形態２に係る室外熱交換器５と同様の構成を備えるが、フィン２４に第１切欠き部５１と接続されている第２切欠き部５２が設けられている点で異なる。
【００６９】
第２切欠き部５２は、第１方向Ａにおいて積層された複数のフィン２４の各々に設けられている。複数の第２切欠き部５２は例えば同一の構成を有している。複数の第２切欠き部５２は例えば第１方向Ａにおいて重なるように設けられている。
【００７０】
第２切欠き部５２は、例えば第１切欠き部５１よりも風下側に設けられている。第２切欠き部５２の風上側に位置する端部は、第１切欠き部５１の風下側に位置する端部と接続されている。第２切欠き部５２は、第１ガイド部材２２を収容可能に設けられていない。第２切欠き部５２の風上側に位置する端部の第３方向Ｃにおける幅は、第１ガイド部材２２の第３方向Ｃにおける幅よりも狭い。
【００７１】
第１切欠き部５１に差し込まれた第１ガイド部材２２の第２端部２２Ｂの一部の表面が、フィン２４の第２切欠き部５２に面している。第２切欠き部５２に面している第１ガイド部材２２の上記一部の表面は、第１方向Ａに沿って延びるように設けられており、かつフィン２４に接続されていない。つまり、第１ガイド部材２２の上記第１表面は、第１端部２２Ａの表面および第１ガイド部材２２の当該一部の表面を有している。
【００７２】
そのため、実施の形態３に係る室外熱交換器は、実施の形態２に係る室外熱交換器と同様の効果を奏することができる。
【００７３】
なお、第２切欠き部５２は、第１切欠き部５１に対して風下側に接続されているのが好ましいが、第１切欠き部５１における任意の箇所に接続されていてもよい。
【００７４】
実施の形態２および実施の形態３に係る室外熱交換器は、伝熱管２０の風下側に伝熱管をさらに備えていてもよい。例えば、図１０〜図１３に示される伝熱管２０およびフィン２４と同様の構成を備える伝熱管およびフィンが、伝熱管２０およびフィン２４の風下側に配置されていてもよい。このようにしても、実施の形態２および実施の形態３に係る室外熱交換器と同様の効果を奏することができる。
【００７５】
なお、実施の形態１〜３に係る熱交換器（室外熱交換器）は、上述のように空気調和機に好適であるが、これに限られるものではない。実施の形態１〜３に係る熱交換機は、例えば、ヒートポンプ給湯装置および冷凍装置など、冷媒を圧縮機で圧縮して循環させるヒートポンプを応用した装置に適用可能である。
【００７６】
今回開示された実施の形態はすべての点において例示であって制限的なものでは無いと考えられるべきである。本発明の範囲は、上記した説明ではなくて請求の範囲によって示され、請求の範囲と均等の意味および範囲内でのすべての変更が含まれることが意図される。
【産業上の利用可能性】
【００７７】
本発明は、寒冷時に暖房運転される空気調和機および該空気調和機に用いられる熱交換器に特に有利に適用される。
【符号の説明】
【００７８】
１  圧縮機、２  四方弁、３  室内熱交換器、４  膨張弁、５  室外熱交換器、６  室内ファン、７  室外ファン、１０  第１分配器、１１  第２分配器、１２  折り返しヘッダ、２０，２１  伝熱管、２０Ａ  第３端部、２０Ｂ  第４端部、２１Ａ  第７端部、２１Ｂ  第８端部、２２  第１ガイド部材、２２Ａ  第１端部、２２Ｂ  第２端部、２３  第２ガイド部材、２３Ａ  第５端部、２３Ｂ  第６端部、２４  フィン、２４Ａ  第９端部、２４Ｂ  第１０端部、２５  ルーバー、４０，４１，４２  凹部、４３  母材、４４  被覆膜、５１  第１切欠き部、５２  第２切欠き部、５３  第３切欠き部。
【図１】
2017158795.tif 000003
【図２】
2017158795.tif 000004
【図３】
2017158795.tif 000005
【図４】
2017158795.tif 000006
【図５】
2017158795.tif 000007
【図６】
2017158795.tif 000008
【図７】
2017158795.tif 000009
【図８】
2017158795.tif 000010
【図９】
2017158795.tif 000011
【図１０】
2017158795.tif 000012
【図１１】
2017158795.tif 000013
【図１２】
2017158795.tif 000014
【図１３】
2017158795.tif 000015
【国際調査報告】
2017158795.tif 000016
2017158795.tif 000017
2017158795.tif 000018
2017158795.tif 000019